(57)【要約】【課題】画像生成装置の違いによらず、画質を適切に調整することを目的とする。【解決手段】画像生成装置によって生成された任意の画像データのための色再現情報の生成と配信とを行うネットワークシステムであって、画像データと色再現情報を用いて画像を出力する出力装置と、出力装置とネットワークを介して接続される色再現情報生成装置とを備え、出力装置は、色較正済みの画像出力部から第１種原画を出力し、第１種原画を画像生成装置で撮像して得られる第１種画像データを色再現情報生成装置へ送信し、色再現情報生成装置から受信した色再現情報を格納することが可能であり、色再現情報生成装置は、第１種画像データを受信し、受信した第１種画像データに基づいて色再現情報を生成し、生成した色再現情報を出力装置へ送信することが可能である、ネットワークシステムを用いる。【選択図】        図１
2004297383.tif 000002
【特許請求の範囲】
【請求項１】
画像生成装置によって生成された任意の画像データのための色再現情報の生成と配信とを行うネットワークシステムであって、
前記画像データと前記色再現情報とに基づいて画像を出力する出力装置と、
前記出力装置とネットワークを介して接続される色再現情報生成装置とを備え、
前記出力装置は、
予め準備された既知の原画データに応じ、色見本を含む第１種原画を出力する色較正済みの画像出力部と、
前記画像生成装置を用いて前記第１種原画を撮像して得られる第１種画像データを前記ネットワークを介して前記色再現情報生成装置へ送信する送信部と、
前記色再現情報生成装置によって生成された前記色再現情報を前記ネットワークを介して受信する受信部と、
前記受信した色再現情報を記憶する色再現情報記憶部と、を備え、
前記色再現情報生成装置は、
前記出力装置から前記ネットワークを介して前記第１種画像データを受信する受信部と、
前記第１種画像データから前記出力装置を用いて前記第１種原画を再現する際に前記第１種原画の色を忠実に再現するように色較正を行うための色較正情報を、前記原画データと前記第１種画像データとの対応関係に基づいて生成する色再現情報生成部と、
前記色較正情報を前記色再現情報として前記ネットワークを介して前記出力装置へ送信する送信部と、を備える、
ネットワークシステム。
【請求項２】
請求項１に記載のネットワークシステムであって、
前記色再現情報生成部は、さらに、前記画像生成装置を用いて撮像される任意の画像内の特定の記憶色に近い所定の範囲の色を対象とした色修正に利用される記憶色情報を生成し、
前記送信部は、前記色較正情報と前記記憶色情報とを前記色再現情報として送信する、
ネットワークシステム。
【請求項３】
請求項１または請求項２に記載のネットワークシステムであって、
前記出力装置は、前記画像データを生成した画像生成装置の型式が、前記色再現情報の生成に用いた前記画像生成装置の型式と同じときに、前記画像の出力を前記色再現情報に基づいて行う、ネットワークシステム。
【請求項４】
画像生成装置によって生成された画像データと色再現情報とに基づいて画像を出力するクライアント装置と、前記クライアント装置とネットワークを介して接続されるサーバとを用いて、前記画像生成装置によって生成された任意の画像データのための色再現情報の生成と配信とを行う方法であって、
（ａ）予め準備された既知の原画データを用い、再現される色の較正が予め行われた前記クライアント装置から色見本を含む第１種原画を出力する工程と、
（ｂ）前記画像生成装置を用いて前記第１種原画を撮像して得られる第１種画像データを、前記クライアント装置から前記ネットワークを介して前記サーバへ送信する工程と、
（ｃ）前記第１種画像データから前記クライアント装置を用いて前記第１種原画を再現する際に前記第１種原画の色を忠実に再現するように色較正を行うための情報を色較正情報としたときに、予め準備された前記原画データと前記サーバが受信した前記第１種画像データとの対応関係に基づいて前記色較正情報を生成する工程と、
（ｄ）前記色較正情報を用いて色再現情報を生成する工程と、
（ｅ）前記色再現情報を前記サーバから前記ネットワークを介して前記クライアント装置へ送信する工程と、
（ｆ）受信した前記色再現情報を前記クライアント装置に格納する工程と、
を備える、色再現情報の生成配信方法。
【請求項５】
請求項４に記載の色再現情報の生成配信方法であって、さらに、
（ｉ）前記サーバが、前記画像生成装置を用いて撮像される任意の画像内の特定の記憶色に近い所定の範囲の色を対象とした色修正に利用される記憶色情報を準備する工程を備え、
前記色再現情報は、前記色較正情報と前記記憶色情報とを含む、
色再現情報生成方法。
【請求項６】
請求項４または請求項５に記載の色再現情報の生成配信方法であって、
前記色再現情報は、前記画像データを生成した画像生成装置の型式が、前記色再現情報の生成に用いた前記画像生成装置の型式と同じときに、前記クライアント装置による前記画像の出力に利用される、色再現情報生成方法。
【発明の詳細な説明】
【０００１】
【発明の属する技術分野】
この発明は、画像データの画質を調整をする画質調整技術に関する。
【０００２】
【従来の技術】
画像の出力装置としては、例えば、ＣＲＴ、ＬＣＤ、プリンタ、プロジェクタ、テレビ受像器などが知られており、これらの装置を用いることによって、画像データに基づいた画像を出力することが可能である。このような画像データは、デジタルスチルカメラ（ＤＳＣ）やデジタルビデオカメラ（ＤＶＣ）、スキャナ等の画像生成装置を用いて生成することができる。このような画像生成装置は、近年、広く普及しつつあり、また、より高画質な画像を出力することが望まれつつある。
【０００３】
このような画像データの画質は、例えば、パーソナルコンピュータ上で画像レタッチアプリケーションを用いることによって任意に調整することができる。画像レタッチアプリケーションには、一般的に、画像データの画質を自動的に調整する画像調整機能が備えられており、この画像調整機能を利用すれば、出力装置から出力する画像の画質を向上させることができる。また、出力装置の１つであるプリンタの動作を制御するプリンタドライバにも、画質を自動的に調整する機能が備えられており、このようなプリンタドライバを利用しても、印刷される画像の画質を向上させることができる。
【０００４】
これらの画像データの画質を決める重要な要素の１つに、色の再現性がある。画像データの色が、ユーザが好ましいと感じる色で再現されていれば、ユーザは、その画像を高画質な画像として認識することができる。特に、人が着目しやすい領域の色が好ましい色で再現されていれば、高画質な画像として認識することができる。このような着目しやすい領域としては、例えば、人物画像における人の肌色領域や、風景画像における空の青色領域や山の緑色領域などがある（このような、人が着目しやすい領域の色は記憶色と呼ばれる）。そこで、画像データの中の記憶色に近い所定の色範囲の色を、ユーザが好ましいと感じる色（目標色）に近くなるように調整して、画質を向上させる方法が用いられている（例えば、特許文献１参照。）。
【０００５】
【特許文献１】
特開２００１−１６９１３５号公報
【０００６】
【発明が解決しようとする課題】
これら画像レタッチアプリケーションやプリンタドライバなどの画質調整アプリケーションによって提供される画質調整機能では、一般的な画質特性を有する画像データを基準として画質調整が実行されていた。ところが、画像データ生成装置が画像データを生成する際に用いる色空間は、画像データ生成装置によって異なる場合がある。そのため、画像データ生成装置が異なる場合には、同じ被写体を撮影した画像データであっても、その画質特性、特に、色の再現性が異なる場合があった。その結果、画像データを生成した画像生成装置によっては、その画像データに対して一般的な画像データを基準とした画質調整処理を実行しても、意図した色に調整されない場合があった。
【０００７】
本発明は、上述した従来の課題を解決するためになされたものであり、画像生成装置の違いによらず、画質を適切に調整することを目的とする。
【０００８】
【課題を解決するための手段およびその作用・効果】
上記課題の少なくとも一部を解決するために、この発明によるネットワークシステムは、画像生成装置によって生成された任意の画像データのための色再現情報の生成と配信とを行うネットワークシステムであって、前記画像データと前記色再現情報とに基づいて画像を出力する出力装置と、前記出力装置とネットワークを介して接続される色再現情報生成装置とを備え、前記出力装置は、予め準備された既知の原画データに応じ、色見本を含む第１種原画を出力する色較正済みの画像出力部と、前記画像生成装置を用いて前記第１種原画を撮像して得られる第１種画像データを前記ネットワークを介して前記色再現情報生成装置へ送信する送信部と、前記色再現情報生成装置によって生成された前記色再現情報を前記ネットワークを介して受信する受信部と、前記受信した色再現情報を記憶する色再現情報記憶部と、を備え、前記色再現情報生成装置は、前記出力装置から前記ネットワークを介して前記第１種画像データを受信する受信部と、前記第１種画像データから前記出力装置を用いて前記第１種原画を再現する際に前記第１種原画の色を忠実に再現するように色較正を行うための色較正情報を、前記原画データと前記第１種画像データとの対応関係に基づいて生成する色再現情報生成部と、前記色較正情報を前記色再現情報として前記ネットワークを介して前記出力装置へ送信する送信部と、を備える。
【０００９】
この発明によるネットワークシステムによれば、互いにネットワークを介して接続される出力装置と色再現情報生成装置を利用して色再現情報を生成することができるので、色再現情報の生成機能を備えない出力装置のユーザも手軽に色再現情報を得ることができる。また、出力装置から出力した原画を用いて色再現情報を生成するので、色再現情報に基づいて画像の出力を行えば、出力装置から出力する画像の色の再現性を向上させることができる。
【００１０】
上記ネットワークシステムにおいて、前記色再現情報生成部は、さらに、前記画像生成装置を用いて撮像される任意の画像内の特定の記憶色に近い所定の範囲の色を対象とした色修正に利用される記憶色情報を生成し、前記送信部は、前記色較正情報と前記記憶色情報とを前記色再現情報として送信することが好ましい。
【００１１】
こうすることで、ユーザは、色再現性を向上させるとともに、記憶色に近い色を好ましい色に調整することが可能な色再現情報を得ることができる。
【００１２】
上記各ネットワークシステムにおいて、前記出力装置は、前記画像データを生成した画像生成装置の型式が、前記色再現情報の生成に用いた前記画像生成装置の型式と同じときに、前記画像の出力を前記色再現情報に基づいて行うことが好ましい。
【００１３】
こうすることで、画像生成装置で生成された画像データから得られる出力画像の色を好ましい色に調整するとともに、他の画像データから得られる出力画像の色を、意図しない色に調整することを抑制することができる。
【００１４】
なお、本発明は、種々の形態で実現することが可能であり、例えば、色再現情報の生成方法および生成装置、これらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【００１５】
【発明の実施の形態】
次に、本発明の実施の形態を実施例に基づいて以下の順序で説明する。
Ａ．色管理画像出力システム：
Ｂ．色管理画像出力処理の第１実施例：
Ｃ．プロファイル付き画像ファイル生成処理の第１実施例：
Ｄ．画質調整アプリケーションの第２実施例：
Ｅ．変形例：
【００１６】
Ａ．色管理画像出力システム：
図１は、本発明の一実施例としての色管理画像出力システムの全体構成を示す説明図である。この色管理画像出力システムは、ネットワークＮＥＴを介して接続されたメディアプロファイルサーバ１１０と、デジタルフィルムプロファイルサーバ１２０と、クライアント装置としての出力システム２００と、画像生成装置としてのＤＳＣ（デジタルスチルカメラ）６００とを備えている。なお、「デジタルフィルムプロファイル」という名前は、後述するように、色再現特性を規定する情報（色再現情報）に付けられた名前である。この名前は、銀塩写真を生成する際に、好みの発色特性を有するフィルムを選択して用いるのと同様に、好みの発色特性を有するデジタルフィルムプロファイルを選択して用いることができることに由来している。
【００１７】
出力システム２００は、画像データ処理装置としてのコンピュータ３００と、画像を出力する画像出力部としてのプリンタ４００とを備えている。コンピュータ３００とプリンタ４００とは、ケーブルを介して互いに接続されており、印刷データ等の画像データの送受信を行うことが可能である。プリンタ４００はその動作を制御する制御回路（図示せず）を備えており、受信した画像データに基づく画像の出力処理を実行する。画像出力部としては、プリンタ４００の他に、ＣＲＴディスプレイ、ＬＣＤディスプレイ等のモニタ５００、プロジェクタ等を用いることができる。なお、画像データ処理装置としてのコンピュータ３００と、画像出力部としてのプリンタ４００とは、広義の「出力装置」と呼ぶことができる。
【００１８】
出力システム２００は、画像生成装置としてのＤＳＣ６００によって生成された入力画像データＧＤ１に基づいた画像を出力することが可能である。画像生成装置としては、ＤＳＣ６００の他に、デジタルビデオカメラ（ＤＶＣ）、スキャナ等を用いることができる。図１の例ではＤＳＣ６００がケーブルＣＢを介してコンピュータ３００に接続されており、コンピュータ３００は、ケーブルＣＢを介して入力画像データＧＤ１を受信することが可能である。また、ＤＳＣ６００が生成した入力画像データＧＤ１をメモリーカード（図示せず）に格納し、入力画像データＧＤ１が記録されたメモリーカードを、コンピュータ３００に装着することによって、コンピュータ３００が入力画像データＧＤ１を読み込む構成を用いてもよい。また、ＤＳＣ６００をネットワークＮＥＴに接続し、コンピュータ３００がネットワークＮＥＴを経由して入力画像データＧＤ１を受信する構成とすることもできる。なお、画像生成装置は入力画像データＧＤ１を含む画像ファイルを生成することが一般的である。そのため、入力画像データＧＤ１の送受信を行う際には、入力画像データＧＤ１を含む画像ファイルの送受信が行われる。
【００１９】
コンピュータ３００上では、画質調整アプリケーション３２０と、プロファイル付き画像ファイル生成アプリケーション３４０とが動作可能である。画質調整アプリケーション３２０は、入力画像データＧＤ１に対し、デジタルフィルムプロファイルＤＰＦとメディアプロファイルＭＰＦとを用いた画質調整処理を実行して出力画像データＧＤ２を作成する（詳細は後述）。この出力画像データＧＤ２はプリンタ４００に送信され、プリンタ４００は出力画像データＧＤ２に基づく画像を出力する。出力画像データＧＤ２の形式がプリンタ４００に適合していない場合には、プリンタ４００に適合する印刷データＰＤが出力画像データＧＤ２に基づいて作成され、作成された印刷データＰＤがプリンタ４００に送信される。いずれの場合も、プリンタ４００は、出力画像データＧＤ２に基づいて画像を出力するということができる。このような印刷データ作成機能は、コンピュータ３００上で動作するプリンタドライバによって実行されることが一般的である。なお、プリンタドライバが画質調整アプリケーション３２０として機能する場合には、画質調整アプリケーション３２０が出力画像データＧＤ２に基づく印刷データＰＤを作成する。
【００２０】
プロファイル付き画像ファイル生成アプリケーション３４０は、入力画像データＧＤ１と、デジタルフィルムプロファイルＤＰＦとを含むプロファイル付き画像ファイルの作成処理を実行する。
【００２１】
なお、画質調整アプリケーション３２０は、画像出力部から画像を出力するための出力画像データを生成する機能を実現するためのプログラムに相当する。また、プロファイル付き画像ファイル生成アプリケーション３４０は、入力画像データとデジタルフィルムプロファイルとを関連付けて格納するプロファイル付き画像ファイルを作成する機能を実現するためのプログラムに相当する。これらのプログラム３２０、３４０は、コンピュータ読み取り可能な記録媒体に記録された形態で供給される。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読み取り可能な種々の媒体を利用できる。
【００２２】
メディアプロファイルサーバ１１０は、画質調整処理に用いるメディアプロファイルＭＰＦの作成を支援し、メディアプロファイルＭＰＦの提供を行うサーバである。デジタルフィルムプロファイルサーバ１２０は、画質調整処理に用いるデジタルフィルムプロファイルの作成を支援し、デジタルフィルムプロファイルの提供を行うサーバである。これら２つのサーバ１１０、１２０は、別々のコンピュータハードウェア上で実現されていてもよく、あるいは、同一のコンピュータハードウェア上で実現されていてもよい。また、２つのサーバ１１０、１２０によるサービスを１つのサーバで提供するようにしてもよい。
【００２３】
２つのサーバ１１０、１２０は、ユーザに対して画像出力用のプロファイルの提供を行うために、種々のデータやプログラムモジュールを格納している。すなわち、メディアプロファイルサーバ１１０は、出力装置プロファイルとしてのメディアプロファイルＭＰＦを格納するメディアプロファイル格納部１１８と、メディアプロファイルＭＰＦを作成するメディアプロファイル作成部１１２と、メディアプロファイル作成用のテストチャートデータ格納部１１４とを有している。デジタルフィルムプロファイルサーバ１２０は、デジタルフィルムプロファイルＤＰＦを格納するデジタルフィルムプロファイル格納部１２８と、デジタルフィルムプロファイルＤＰＦを作成するデジタルフィルムプロファイル作成部１２２と、デジタルフィルムプロファイル作成用のテストチャートデータ格納部１２４とを有している。これらのデータやモジュールの内容については後述する。
【００２４】
図２は、コンピュータ３００の構成を示すブロック図である。コンピュータ３００は、送受信部３０６と、デジタルフィルムプロファイル記憶部３０２と、メディアプロファイル記憶部３０４とを備えている。また、コンピュータ３００上では、画質調整アプリケーション３２０とプロファイル付き画像ファイル生成アプリケーション３４０とが動作可能である。
【００２５】
送受信部３０６はネットワークＮＥＴを介したデータの送受信処理を実行する。
【００２６】
デジタルフィルムプロファイル記憶部３０２とメディアプロファイル記憶部３０４とは、コンピュータ３００の図示しないメモリやハードディスク内に構成される。デジタルフィルムプロファイル記憶部３０２はデジタルフィルムプロファイルＤＰＦを記憶し、メディアプロファイル記憶部３０４はメディアプロファイルＭＰＦを記憶する。デジタルフィルムプロファイルＤＰＦとメディアプロファイルＭＰＦとは、画質調整アプリケーション３２０が画質調整処理を実行する際に用いられる。これらのプロファイルは、デジタルフィルムプロファイルサーバ１２０の送受信部１２６と、メディアプロファイルサーバ１１０の送受信部１１６から、それぞれ、ネットワークＮＥＴを介してダウンロードすることが可能である（詳細は後述）。
【００２７】
画質調整アプリケーション３２０は、フロントエンドモジュール３３６とバックエンドモジュール３３８とを備えている。フロントエンドモジュール３３６は、入力色空間変換部３２２と、画質補正部３２６と、第１選択部３３０とを備えている。入力色空間変換部３２２は、入力画像データＧＤ１に対し、デジタルフィルムプロファイルＤＰＦに基づいた入力色空間変換処理を実行する。画質補正部３２６は、入力色空間変換処理がなされた画像データに対し、デジタルフィルムプロファイルＤＰＦに基づいた記憶色調整処理を実行する。第１選択部３３０は、入力色空間変換部３２２と画質補正部３２６とが用いるデジタルフィルムプロファイルＤＰＦの選択処理を実行する。このようなデジタルフィルムプロファイルＤＰＦに基づいた処理を実行するフロントエンドモジュール３３６は、画質調整アプリケーション３２０のプラグインモジュールとして実装してもよい。
【００２８】
バックエンドモジュール３３８は、画像処理部３２５と、出力色空間変換部３２４と、第２選択部３３２とを備えている。画像処理部３２５は、記憶色調整処理がなされた画像データに対し、ユーザの指示に応じて明度調整処理等の画像処理を実行する。また、画像処理部３２５は、必要に応じて画像データを表現する色空間を変換することもできる。出力色空間変換部３２４は、画像処理部３２５による処理がなされた画像データに対し、メディアプロファイルＭＰＦに基づいた出力色空間変換処理を実行する。第２選択部３３２は、出力色空間変換部３２４が用いるメディアプロファイルＭＰＦの選択処理を実行する。なお、以下の説明では、ユーザの指示が無く、画像処理部３２５による処理が省略されたものとする。また、プリンタドライバが画質調整アプリケーション３２０として機能する構成を用いる場合には、画像処理部３２５は省略されることが一般的である。
【００２９】
上述した３つの処理（入力色空間変換処理、出力色空間変換処理、記憶色調整処理）によって、入力画像データＧＤ１に基づく出力画像データＧＤ２が生成される。これらの画質調整処理（入力色空間変換処理、出力色空間変換処理、記憶色調整処理）と選択処理の詳細については後述する。なお、記憶色調整処理は、画像出力部から画像を出力する処理よりも前に実行すればよい。例えば、入力色空間変換処理の前の入力画像データＧＤ１に対して実行してもよく、また、出力色空間変換処理の後の画像データに対して実行してもよい。
【００３０】
プロファイル付き画像ファイル生成アプリケーション３４０は、画像ファイル生成部３４２と選択部３４４とを備えている。画像ファイル生成部３４２は、入力画像データＧＤ１とデジタルフィルムプロファイル記憶部３０２に記憶されているデジタルフィルムプロファイルＤＰＦとを含むプロファイル付き画像ファイルの生成処理を実行する。選択部３４４は画像ファイル生成処理に用いるデジタルフィルムプロファイルＤＰＦの選択処理を実行する。これらの処理の詳細については後述する。
【００３１】
画質調整アプリケーション３２０やプロファイル付き画像ファイル生成アプリケーション３４０の機能は、コンピュータ３００の図示しないメモリやハードディスクに格納されたコンピュータプログラムをコンピュータ３００が実行することによって実現される。
【００３２】
Ｂ．色管理画像出力処理の第１実施例：
図３は、デジタルフィルムプロファイルＤＰＦとメディアプロファイルＭＰＦとを用いた色管理画像出力処理を示すフローチャートである。ステップＳ１００では、メディアプロファイルＭＰＦの準備処理が実行される。メディアプロファイルＭＰＦは、プリンタ４００の色再現範囲と整合する色空間に関する情報を含んでいる。本実施例では、この色空間としてモニタ用のｓＲＧＢ色空間よりも広いＲＧＢ色空間（「ｗＲＧＢ色空間」と呼ぶ）を用いているものとする。以下の説明では、この色空間を「プリンタに適した色空間ｗＲＧＢ」と呼ぶ。プリンタ４００は、プリンタに適した色空間ｗＲＧＢで表現された出力画像データＧＤ２、もしくは、出力画像データＧＤ２に基づいて生成された印刷データＰＤに従って画像の出力処理を実行する。すなわち、プリンタ４００は、プリンタに適した色空間ｗＲＧＢで表現された出力画像データＧＤ２に基づいて画像を出力することが可能であるということができる。メディアプロファイルＭＰＦは、このプリンタに適した色空間ｗＲＧＢと出力された画像の色との関係に関する情報を含んでおり、プリンタ４００によって忠実な色再現を行うために利用される。このようなメディアプロファイルＭＰＦは、画像出力に用いる印刷媒体やインクの種類等の出力条件に応じて準備され、コンピュータ３００の（図２）のメディアプロファイル記憶部３０４に記憶される。画像を出力するための出力条件に対応したメディアプロファイルＭＰＦが記憶されていない場合には、メディアプロファイルＭＰＦを、メディアプロファイルサーバ１１０からネットワークＮＥＴを介してコンピュータ３００へとダウンロードすることができる。また、メディアプロファイルサーバ１１０がプリンタ４００に対応したメディアプロファイルＭＰＦを格納していない場合には、メディアプロファイルサーバ１１０を利用して新たに作成することができる。これらの処理の詳細については後述する。
【００３３】
次のステップＳ１１０では、デジタルフィルムプロファイルＤＰＦの準備処理が実行される。デジタルフィルムプロファイルＤＰＦは、ＤＳＣ６００等の画像生成装置が入力画像データＧＤ１を生成する際に使用した色空間（例えば、ｓＲＧＢ色空間や他の特定のＲＧＢ色空間）に関する情報を含んでいる。以下の説明では、この色空間を「ＤＳＣの色空間ｉＲＧＢ」と呼ぶ。入力画像データＧＤ１は、このＤＳＣの色空間ｉＲＧＢで表現されている。また、画像生成装置の中には、生成した画像データを圧縮するものもある。このような圧縮された画像データを扱う場合には、圧縮画像データを伸長し、色空間変換を行うことによってＤＳＣの色空間ｉＲＧＢで表現された入力画像データＧＤ１を得ることができる。さらに、デジタルフィルムプロファイルＤＰＦは、画像データの中の予め設定された記憶色に近い所定の色範囲の色を予め設定された目標色に近づくように調整するための記憶色パラメータを含んでいる。このようなデジタルフィルムプロファイルＤＰＦは、画像生成装置の型式に応じて準備され、コンピュータ３００（図２）のデジタルフィルムプロファイル記憶部３０２に記憶される。画像生成装置に対応したデジタルフィルムプロファイルＤＰＦが記憶されていない場合には、デジタルフィルムプロファイルサーバ１２０からネットワークＮＥＴを介してコンピュータ３００へとダウンロードすることができる。また、デジタルフィルムプロファイルサーバ１２０が画像生成装置に対応したデジタルフィルムプロファイルＤＰＦを格納していない場合には、デジタルフィルムプロファイルサーバ１２０を利用して新たに作成することができる。これらの処理の詳細については後述する。
【００３４】
次のステップＳ１２０では、画像の出力処理が実行される。このステップＳ１２０では、画質調整アプリケーション３２０（図２）による、デジタルフィルムプロファイルＤＰＦとメディアプロファイルＭＰＦとを用いた画質調整処理が実行され、出力画像データが生成される。次に、プリンタ４００が、出力画像データに基づいて画像を出力する。これらの処理の詳細については後述する。
【００３５】
Ｂ１．メディアプロファイル準備処理：
図４は、メディアプロファイル準備処理（図３、Ｓ１００）を示すフローチャートである。このフローチャートは、プリンタ４００用のメディアプロファイルＭＰＦの作成から、メディアプロファイル記憶部３０４（図２）への記憶までの一連の処理を示している。図４の左側は出力システム２００で実行される処理を示しており、右側はメディアプロファイルサーバ１１０で実行される処理を示している。
【００３６】
本実施例では、ユーザは、画質調整アプリケーション３２０の設定画面を通じて、図４の一連の処理に対する指示を行うことができる。図５は、画質調整アプリケーション３２０の設定画面の一例を示している。図示されているように、画面中にはテストチャート設定部ＴＣＳＡと、メディアプロファイルダウンロード設定部ＭＰＦＳＡとを有している。このような設定画面はモニタ５００に表示される。
【００３７】
ユーザは、テストチャート設定部ＴＣＳＡを操作することによって、テストチャートの出力に用いるテストチャートデータの選択を行うことができる。テストチャートは、複数の色に対応する複数のカラーパッチで構成された画像である。カラーバッチの色がプリンタ４００の色の再現範囲内に広く分布するように、テストチャートは、色相、彩度、明度の少なくとも一部が互いに異なる複数のカラーパッチで構成されている。テストチャートデータは、プリンタ４００にテストチャートを出力させるための画像データであり、プリンタに適した色空間ｗＲＧＢで表現された画像データとすることが好ましい。
【００３８】
テストチャートデータはメディアプロファイルサーバ１１０に格納されている。ユーザがダウンロード開始ボタンＴＣＤＡを操作すると（Ｓ２０２：Ｙ）、メディアプロファイルサーバ１１０から出力システム２００へテストチャートデータが送信される（Ｓ２０４）。引き続いて、ユーザがテストチャート出力開始ボタンＴＣＯＡを操作すると、受信したテストチャートデータに基づくテストチャートがプリンタ４００から出力される（Ｓ２０６）。
【００３９】
テストチャートデータをダウンロードする代わりに、既に保存してあるテストチャートデータを用いることもできる。このようなテストチャートデータとして、例えば、過去にダウンロードしたデータや、画質調整アプリケーション３２０とともに提供された標準のテストチャートデータなどを用いることができる。ユーザは、保存してあるテストチャートデータを、図５の設定画面のテストチャートデータファイル設定部ＴＣＦＡを操作して設定することができる（図４：Ｓ２００）。
【００４０】
次に、ステップＳ２０８では、ステップＳ２０６で出力したテストチャートの各カラーパッチの測色処理が行われる。測色処理は測色計を用いて行われる。測色の結果得られるデータは、プリンタやモニタ等のデバイスに依存しない色空間、例えば、Ｌ＊ａ＊ｂ＊色空間やＸＹＺ色空間で表されたデータである。このように、ステップＳ２０８では、各カラーパッチの測色を行うことによって、プリンタに適したｗＲＧＢ色空間と装置非依存色空間との対応関係を決定することができる。なお、ステップＳ２０６で出力されたテストチャートは、郵送や持ち込み等の方法を用いて測色を行うオペレータのところへ送付される。このオペレータは、メディアプロファイルサーバ１１０（図１）の管理も行っている。
【００４１】
次に、ステップＳ２１０では、プリンタに適したｗＲＧＢ色空間と装置非依存色空間（例えばＬ＊ａ＊ｂ＊色空間）との対応関係を表すパラメータ値の算出処理が、メディアプロファイル作成部１１２（図１）によって実行される。一般的に、２つの色空間の対応関係を表す方法としては、種々の方法を用いることができ、例えば、マトリックスを用いて表す方法や、γ補正等の所定の関数を用いて表す方法や、ルックアップテーブルを用いて表す方法を用いることができる。本実施例では、ルックアップテーブルＮを用いて、ｗＲＧＢ色空間とＬ＊ａ＊ｂ＊色空間との対応関係を表すものとする。
【００４２】
このように、本実施例においては、プリンタに適したｗＲＧＢ色空間とＬ＊ａ＊ｂ＊色空間とは、ルックアップテーブルＮで関係付けられている。ステップＳ２１０では、ルックアップテーブルＮが、ステップＳ２０８の測色処理の結果に基づいて設定される。このようにして得られるルックアップテーブルＮが、メディアプロファイルＭＰＦとして用いられる。すなわち、メディアプロファイルＭＰＦは、プリンタに適した色空間ｗＲＧＢと装置非依存色空間（この例ではＬ＊ａ＊ｂ＊色空間）との対応関係に関する情報である。このメディアプロファイルＭＰＦは、例えば、ＩＣＣプロファイルであり、装置非依存色空間からプリンタ４００に適した色空間（ｗＲＧＢ）への変換を行う際に利用される（図２）。この色変換によって、装置非依存色空間で表された色が、プリンタ４００によって忠実に再現されることになる。従って、メディアプロファイルＭＰＦは、プリンタ４００の色較正を実現するための情報と考えることも可能である。
【００４３】
メディアプロファイルＭＰＦのルックアップテーブルＮが算出された後、ユーザがメディアプロファイルサーバ１１０に再びアクセスして設定画面（図５）のダウンロード開始ボタンＭＰＦＤＬＡを操作すると、メディアプロファイルサーバ１１０の送受信部１１６（図２）から出力システム２００へメディアプロファイルＭＰＦが送信される（Ｓ２１２）。出力システム２００は、受信したメディアプロファイルＭＰＦをメディアプロファイル記憶部３０４に記憶する（Ｓ２１４）。
【００４４】
通常のプリンタでは、複数種類の印刷媒体（普通紙、光沢紙、マット紙、フィルムなど）の中から、ユーザによって選択された１つの印刷媒体を使用することを想定している。またプリンタによっては使用するインクの種類を変えることができるものもある。色の再現性は印刷媒体やインクの種類に依存する。通常は、出力画像データＧＤ２をｗＲＧＢ色空間から、プリンタで利用可能なインクの色で表現される色空間、例えば、ＣＭＹＫ色空間に変換する際に使用する色変換ルックアップテーブルを、印刷媒体やインクの種類に応じてそれぞれ準備しているので、１つのメディアプロファイルＭＰＦを準備すれば忠実な色再現を実現することができる。この代わりに、ｗＲＧＢ色空間をＣＭＹＫ色空間に変換する色変換ルックアップテーブルとして印刷媒体やインクの種類によらない標準的なテーブルを使用し、メディアプロファイルＭＰＦを印刷媒体やインクの種類に応じて準備する構成を用いることもできる。本実施例では、メディアプロファイルＭＰＦを印刷媒体やインクの種類に応じて準備するものとする。そこで、本実施例のメディアプロファイル記憶部３０４は、複数種類のメディアプロファイルＭＰＦを記憶することが可能である。また、これらの複数のメディアプロファイルＭＰＦの識別を容易に行うために、メディアプロファイル記憶部３０４は、メディアプロファイルＭＰＦと、メディアプロファイルＭＰＦに関連付けられる出力条件とを記憶することができるように構成されている。この出力条件は、画像を出力する際に、利用するメディアプロファイルＭＰＦを識別する情報として用いることができる（詳細は後述）。
【００４５】
ユーザは、図５に示す設定画面の出力条件設定部ＯＣＡを操作することによって、メディアプロファイルＭＰＦに関連付ける出力条件（印刷媒体とインクの種類等）を設定することができる。テストチャートの出力（Ｓ２０６）に用いた用紙とインクの種類を出力条件設定部ＯＣＡに設定した後に、ダウンロード開始ボタンＭＰＦＤＬＡを操作すると、メディアプロファイルＭＰＦが、設定された出力条件に関連づけられて記憶される。出力条件としては、ユーザがわかりやすい任意の名前を設定することができる。
【００４６】
本実施例では、１つのメディアプロファイルＭＰＦが１つのファイルとして記憶される。ユーザは、図５の画面のファイル名設定部ＭＰＦＡを操作することによって、メディアプロファイルＭＰＦのためのファイル名を設定することができる。従って、出力条件とメディアプロファイルＭＰＦとを同一のファイルに格納して記憶することによって、出力条件とメディアプロファイルＭＰＦとを関連付けることができる。この代わりに、出力条件とメディアプロファイルＭＰＦとを関連づける関連付けデータを生成し、メディアプロファイルＭＰＦと関連付けデータとをそれぞれ独立したファイルに格納しても良い。いずれの場合も、画像の出力に用いるメディアプロファイルの選択を行う際に、出力条件を用いて容易にプロファイルの選択を行うことができるように構成することが好ましい。なお、メディアプロファイルのダウンロードを実行する際には、他のユーザと区別するための認証を行い、適切なユーザのみが適切なメディアプロファイルＭＰＦをダウンロードすることができる構成とすることが好ましい。このような認証方法としては、例えば、パスワードを用いた認証を用いることができる。
【００４７】
複数種類の出力条件に対応するために複数のメディアプロファイルＭＰＦを準備する場合には、図４の一連の処理が必要に応じて繰り返し実行される。この場合、ステップＳ２０６のテストチャート出力処理は、所望の出力条件に従った印刷媒体とインクとを用いて実行される。
【００４８】
図６は、図４に示すメディアプロファイルＭＰＦの準備処理を、色空間を中心に説明する説明図である。本実施例では、テストチャートデータは、プリンタに適した色空間ｗＲＧＢで表現されている。ステップＳ２０６では、テストチャートデータに基づくテストチャートがプリンタ４００から出力される。本実施例での出力処理（ステップＳ２０６）では、ｗＲＧＢ色空間からＣＭＹＫ色空間への標準的な変換処理と、ＣＭＹＫ色空間で表された画像データに基づくハーフトーン処理とが実行される。ｗＲＧＢ色空間からＣＭＹＫ色空間への変換処理では、色補正無しのルックアップテーブル（ＬＵＴ）を用いた変換処理が実行される。ここで、「色補正無し」とは、意図的な色補正を行わないという意味である。従って、「色補正無しルックアップテーブル」は、このアプリケーションで利用可能な他のルックアップテーブルと比べて、より忠実に入出力の対応関係を定めている。また、本実施例では、この色補正無しのルックアップテーブルによって、プリンタで再現可能な色の再現範囲をＣＭＹＫ色空間で表現したときの階調値の全域と、ｗＲＧＢ色空間で表現可能な階調値の全域とが対応付けられる。従って、プリンタで再現可能な色再現範囲を有効に利用した色空間変換処理を行うことができる。なお、本実施例では、ステップＳ２０６の処理は、プリンタドライバ（図示せず）によって実行される。
【００４９】
次に、ステップＳ２０８では、出力したテストチャートの各カラーパッチの測色処理が実行される。この処理の結果、各カラーパッチの色に対応するＬ＊ａ＊ｂ＊色空間での階調値を得ることができる。
【００５０】
次に、ステップＳ２１０では、各カラーパッチの色に対応するＬ＊ａ＊ｂ＊色空間で表された階調値と、ｗＲＧＢ色空間で表された階調値との比較処理が実行される。さらに、この比較結果に基づき、ルックアップテーブルＮが作成される。
【００５１】
以上のように、本実施例で準備されるメディアプロファイルＭＰＦは、カラーバッチの測色を行い、測色結果を反映するように設定される。従って、プリンタ４００の色空間の特性をより正確に反映したメディアプロファイルＭＰＦを準備することができる。さらに、本実施例では、ユーザが実際に用いるプリンタ４００を用いてメディアプロファイルＭＰＦを設定している。従って、プリンタ４００に適した色空間がプリンタ４００の型式によって異なる場合や、同じ型式であってもプリンタに適した色空間に個体差がある場合でも、プリンタ４００に適した色空間の特性をより正確に反映したメディアプロファイルＭＰＦを準備することができる。さらに、本実施例のように、メディアプロファイルＭＰＦを印刷媒体やインクの種類等の画像の出力条件に応じて複数準備することによって、印刷媒体やインクの種類などに応じて発色特性が異なる場合でも、出力条件に対応したメディアプロファイルＭＰＦを利用することができる。出力条件に対応したメディアプロファイルＭＰＦを利用すれば、その出力条件に応じてプリンタの色較正が行われる。
【００５２】
なお、メディアプロファイルサーバ１１０は、準備したメディアプロファイルＭＰＦをメディアプロファイル格納部１１８（図１）に格納する。ところで、プリンタの型式が同じであれば、プリンタに適した色空間ｗＲＧＢはほぼ同じとなる。従って、同じ型式のプリンタを同じ出力条件で使用する他のユーザに、格納されたメディアプロファイルＭＰＦをダウンロードして用いることを許容してもよい。こうすることによって、そのユーザは、自分のプリンタに固有のメディアプロファイルＭＰＦを作成しなくても、予め準備されたメディアプロファイルＭＰＦを用いて出力画像の色の再現性の向上を図ることができる。ただし、図４のフローチャートに従い、実際に用いるプリンタ４００を用いてメディアプロファイルＭＰＦを作成すれば、プリンタ４００のプリンタに適した色空間に個体差がある場合でも、プリンタ４００から出力する画像の色の再現性をより正確なものとすることができる。
【００５３】
Ｂ２．デジタルフィルムプロファイル準備処理：
図７は、デジタルフィルムプロファイル準備処理（図３、Ｓ１１０）を示すフローチャートである。このフローチャートは、ＤＳＣ６００用のデジタルフィルムプロファイルＤＰＦの作成から、デジタルフィルムプロファイル記憶部３０２（図２）への記憶までの一連の処理を示している。図７の左側は出力システム２００で実行される処理を示しており、右側はデジタルフィルムプロファイルサーバ１２０で実行される処理を示している。
【００５４】
本実施例では、ユーザは、画質調整アプリケーション３２０の設定画面を通じて、図７の一連の処理に対する指示を行うことができる。図８は、設定画面の一例を示している。図示されているように、画面中にはテストチャート設定部ＴＣＳＢと、テストチャート画像送信設定部ＩＭＢと、デジタルフィルムプロファイルダウンロードメニューボタンＤＦＢとを有している。
【００５５】
ユーザは、テストチャート設定部ＴＣＳＢを操作することによって、テストチャート出力に用いるテストチャートデータの選択を行うことができる。本実施例では、テストチャートデータとして、Ｌ＊ａ＊ｂ＊色空間で表現された画像データが用いられる。テストチャートは、例えば、複数のカラーパッチ（色見本）を含んでいる。
【００５６】
デジタルフィルムプロファイルサーバ１２０からダウンロードしたテストチャートデータを用いる場合には（Ｓ３００）、ユーザが、図８の設定画面のダウンロード開始ボタンＴＣＤＢを操作すると（Ｓ３０２：Ｙ）、デジタルフィルムプロファイルサーバ１２０から出力システム２００へテストチャートデータが送信される（Ｓ３０４）。引き続いて、ユーザがテストチャート出力開始ボタンＴＣＯＢを操作すると、受信したテストチャートデータに対して色空間変換処理Ｓ３０８が実行され、テストチャートがプリンタ４００から出力される（Ｓ３１０）。
【００５７】
テストチャートデータをダウンロードする代わりに、既に保存してあるテストチャートデータを用いることもできる。このようなテストチャートデータとして、例えば、過去にダウンロードしたデータや、画質調整アプリケーション３２０とともに提供された標準のテストチャートデータなどを用いることができる。ユーザは、保存してあるテストチャートデータを、図８の設定画面のテストチャートデータファイル設定部ＴＣＦＢを操作して設定することができる（図７：Ｓ３００）。）
【００５８】
ステップＳ３０８は、テストチャートデータを定義する色空間を、プリンタに適した色空間ｗＲＧＢへ変換する出力色空間変換処理であり、出力色空間変換部３２４（図２）によって実行される。この出力色空間変換処理は、メディアプロファイルＭＰＦを用いて実行される。メディアプロファイルＭＰＦは印刷媒体やインクの種類に応じて準備されているので、使用する印刷媒体とインクに応じたメディアプロファイルＭＰＦを選択することが好ましい。ユーザは、図８の設定画面の出力条件一覧表ＯＣＢの中の所望の条件を選択することによって、ステップＳ３０８の処理に用いるメディアプロファイルＭＰＦを指定することができる。出力条件一覧表ＯＣＢには、メディアプロファイルＭＰＦに関連付けられた出力条件（印刷媒体やインクの種類）の一覧が表示され、選択された出力条件が２重線で囲まれている。メディアプロファイル名設定部ＭＰＦＢには、出力条件一覧表ＯＣＢで選択された出力条件に関連付けられたメディアプロファイルＭＰＦのファイル名が自動的に設定される。ステップ３０８では、メディアプロファイル名設定部ＭＰＦＢに設定されたファイル（メディアプロファイルＭＰＦ）が用いられる。
【００５９】
なお、後述するように、出力したテストチャートは、ＤＳＣ６００などの画像生成装置を用いて画像データを生成するために利用される。ここで、光沢の強い印刷媒体を用いてテストチャートの出力を行うと、画像領域の一部が光沢によって明るくなった画像データが生成される可能性がある。このような画像データに基づいてデジタルフィルムプロファイルＤＰＦを準備すると、色の再現性を十分に向上させることができなくなる可能性がある。従って、テストチャートの出力に用いる印刷媒体は、光沢の少ないものが好ましく、例えば、マット紙を用いることが好ましい。また、予め指定された印刷媒体を用いてテストチャートの出力を行う構成とすれば、ユーザは、自分で印刷媒体を選択することなく、好ましいテストチャートを出力することができる。
【００６０】
なお、所望の印刷媒体やインクに対してメディアプロファイル準備処理（図３、Ｓ１００）が実行されていない場合には、その印刷媒体とインクに対応した標準のメディアプロファイルＭＰＦを利用可能とすることが好ましい。このような標準のメディアプロファイルＭＰＦは、予め、画質調整アプリケーション３２０とともに提供することができる。こうすることによって、メディアプロファイル準備処理を実行していない印刷媒体やインクを用いる場合でも、標準のメディアプロファイルＭＰＦを用いてデジタルフィルムプロファイルの準備を行うことができる。なお、この場合も標準のメディアプロファイルＭＰＦに関連付けられた出力条件を予め設定しておけば、ユーザは出力条件一覧表ＯＣＢをみて、容易にメディアプロファイルＭＰＦの選択を行うことができる。
【００６１】
ステップＳ３１０では、プリンタに適したｗＲＧＢ色空間で表現されたテストチャートデータに基づいて、テストチャートがプリンタ４００から出力される。このテストチャートの出力は、メディアプロファイルＭＰＦを利用して行われるので、プリンタ４００は色較正済みのプリンタとして機能する。従って、テストチャート上では、それぞれの色が忠実に再現されている。
【００６２】
次に、ステップＳ３１２では、画像生成装置を用いて、ステップＳ３１０で出力されたテストチャートに基づく画像データの生成が行われる。本実施例では、画像生成装置としてＤＳＣ６００を用いるので、ＤＳＣ６００によるテストチャートの撮影が行われる。このようにして得られた画像データは、ＤＳＣの色空間ｉＲＧＢで表現されている。このｉＲＧＢ色空間は画像生成装置の特性を反映した色空間である。ここで、生成された画像データのＲＧＢの各色成分の階調値は、画像データ生成時に用いる光源の種類の影響を受けて変化する場合がある。そのため、このステップＳ３１２は、予め指定された光源、例えばＤ６５標準光源や、画像データを生成する際に多用する光源、例えば太陽光を用いて実行することが好ましい。また、画像生成装置によっては、色を調整する機能を複数の動作モードで実行することができるものがある。この場合には、画像データを生成する際に多用する動作モードを用いることが好ましい。例えば、画像生成装置によっては、オートホワイトバランス調整モードとマニュアルホワイトバランス調整モードが利用可能な場合がある。ここで、通常の撮影時にオートホワイトバランス調整モードを多用する場合には、ステップＳ３１２の処理を行う際にもオートホワイトバランス調整モードを用いることが好ましい。
【００６３】
次に、ステップＳ３１４では、出力システム２００からデジタルフィルムプロファイルサーバ１２０へ生成された画像データが送信される。本実施例では、ＤＳＣ６００は、画像データを含む画像ファイルを生成する。生成された画像ファイルは、一度、コンピュータ３００に送出され、コンピュータ３００からネットワークＮＥＴを介してデジタルフィルムプロファイルサーバ１２０へ送信される。ユーザは、図８の設定画面上の画像データファイル名設定部ＩＭＦＢに、送信する画像データのファイル名を設定することができる。ファイル名設定の後、画像データ送信開始ボタンＩＭＵＢを操作することによって、送信が開始される。
【００６４】
次に、デジタルフィルムプロファイルサーバ１２０では、送受信部１２６（図２）が受信した画像データに基づいて、ＤＳＣの色空間ｉＲＧＢと装置非依存色空間との対応関係に関する情報の設定処理が、デジタルフィルムプロファイル作成部１２２（図１）によって実行される（Ｓ３１６）。本実施例では、装置非依存色空間としてＬ＊ａ＊ｂ＊色空間が用いられ、また、ＤＳＣの色空間ｉＲＧＢとＬ＊ａ＊ｂ＊色空間とがマトリックスによって対応づけられている。ステップＳ３１６では、このような対応関係を決めるマトリックスＭが、テストチャートの各パッチの、ｉＲＧＢ色空間での各成分の階調値とＬ＊ａ＊ｂ＊色空間での各成分の階調値との対応関係を反映するように設定される。
【００６５】
このようにして算出されるマトリックスＭは、ＤＳＣの色空間ｉＲＧＢと装置非依存色空間との対応関係に関する情報であり、後述するように、ＤＳＣの色空間ｉＲＧＢから装置非依存色空間への色空間変換を行う際に利用される（図２）。この色変換によって、ＤＳＣ６００で生成された入力画像データＧＤ１の色が、装置非依存色空間での色に忠実に反映されることになる。従って、マトリックスＭは、画像生成装置（この例ではＤＳＣ６００）を用いて生成された画像データの色較正を実現するための色較正情報と考えることも可能である。また、本実施例において、入力色空間変換部３２２は、本発明における色較正部に相当する。
【００６６】
図９は、図７に示すデジタルフィルムプロファイルＤＰＦの準備処理を、色空間を中心に説明する説明図である。本実施例では、テストチャートデータは、Ｌ＊ａ＊ｂ＊色空間で表現されている。ステップＳ３０８では、メディアプロファイルＭＰＦを用いた色空間変換処理が実行される。この処理によって、テストチャートデータを表す色空間が、Ｌ＊ａ＊ｂ＊色空間からプリンタに適した色空間ｗＲＧＢへ変換される。
【００６７】
次に、ステップＳ３１０では、色空間が変換されたテストチャートデータに基づくテストチャートがプリンタ４００から出力される。この処理は、図６のＳ２０６と同じ処理である。
【００６８】
次に、ステップ３１２では、ＤＳＣ６００によるテストチャートの撮影が行われる。撮影の結果、ＤＳＣの色空間ｉＲＧＢで表現された画像データが生成される。
【００６９】
次に、ステップＳ３１６では、各カラーパッチの色に対応するＬ＊ａ＊ｂ＊色空間で表された階調値と、ＤＳＣの色空間ｉＲＧＢで表された階調値との比較処理が実行される。さらに、この比較結果を反映するように、マトリックスＭが設定される。
【００７０】
以上のように、色較正情報（本実施例では、マトリックスＭ）によって、ＤＳＣ６００で生成された入力画像データＧＤ１の色が、装置非依存色空間での色に忠実に反映されることとなる。
【００７１】
次に、図７の一連の処理Ｓ３１８、Ｓ３２０によって、記憶色パラメータＭＣＰの設定が行われる。記憶色パラメータＭＣＰは、記憶色調整処理のためのパラメータ値である。記憶色調整処理は、画像データの中の記憶色に近い所定の色範囲（以下、記憶色範囲と呼ぶ）の色を処理対象として選択して目標色に近づくように調整する処理である。記憶色範囲としては、肌色に近い範囲や、青色範囲、緑色範囲等がある。色の調整処理は、画像データを修正することによって実行される。
【００７２】
図１０は、記憶色調整処理を説明する説明図である。図１０（ａ）は、記憶色調整処理の対象画素を選択するための条件の一例を示す説明図である。図１０（ａ）には、色相Ｈの値と色の関係が示されている。この実施例では、色相Ｈは、その取りうる範囲が０度〜３６０度であり、０度が赤色を示し、さらに、１２０度が緑色を、２４０度が青色を示している。ここで、色相Ｈが赤色に近い範囲にある画素、例えば、色相Ｈが０〜４０度の肌色範囲ＳＲにある画素を選択すれば、肌色に近い色のみを選択することができる。また、緑色に近い範囲、例えば、色相Ｈが１００〜１３０度の緑色範囲ＧＲを用いれば山の緑色に近い色のみを選択することができる。同様に、青色に近い範囲、例えば、色相Ｈが２００〜２６０度の青色範囲ＢＲを用いれば、空の青色に近い色のみを選択することができる。なお、この実施例では、色相に条件を課すことによって記憶色範囲を設定しているが、彩度や明度に条件を課しても良い。こうすることによって、より適切に記憶色範囲を設定することができる。
【００７３】
なお、記憶色調整処理の対象となる画像データが、色相や彩度や明度をパラメータとして含まない色空間で表現されている場合、例えば、ＲＧＢ色空間を用いて表現されている場合には、色相と彩度と明度とをパラメータとして含む色空間、例えば、ＨＬＳ色空間やＨＩＳ色空間などに変換することによって、各画素位置における色相と彩度と明度を取得することができる。
【００７４】
図１０（ｂ）は、緑Ｇの階調値の入力レベルＧｉｎと出力レベルＧｏｕｔとの関係を示す説明図である。本実施例では、処理対象となる画像データがＲＧＢの３つの階調値で表現されており、図１０（ｂ）は、その中の緑Ｇの強さを調整する場合に用いるトーンカーブを示している。グラフＧＡは、入力レベルＧｉｎと比べて、出力レベルＧｏｕｔが小さくなるように構成されている。このグラフＧＡを用いて緑Ｇの階調値調整を行えば、記憶色範囲の条件を満たす色の緑Ｇの階調値が目標色と比べて大きい画像において、緑Ｇの階調値を小さくし、色を目標色に近づけることができる。また、グラフＧＢは、出力レベルＧｏｕｔが入力レベルＧｉｎよりも大きくなるように構成されている。このグラフＧＢを用いて緑Ｇの階調値調整を行えば、記憶色範囲の条件を満たす色の緑Ｇの階調値が目標色と比べて小さい画像において、緑Ｇの階調値を大きくし、色を目標色に近づけることができる。
【００７５】
このようなグラフＧＡは、例えば、調整入力レベルＧｒｅｆにおける出力レベルＧｏｕｔを、元の値よりも調整量ＧＭだけ小さくなるように調整して構成することができる。他の入力レベルＧｉｎに対応する出力レベルＧｏｕｔはスプライン関数にて補間されている。同様に、グラフＧＢは、調整入力レベルＧｒｅｆにおける出力レベルＧｏｕｔを、元の値よりも調整量ＧＭだけ大きくなるように調整して構成することができる。調整入力レベルＧｒｅｆとしては、予め決められた値を用いることができる。例えば、緑Ｇの取りうる範囲が０〜２５５である場合に、中間値である１２８を用いても良い。調整量ＧＭは、値の異なる複数の調整量ＧＭを用いて得られる複数の出力画像を比較する感応評価に基づいて設定することができる。複数の出力画像の中から記憶色に近い色が目標色に近い色で再現されている画像を選択し、選択した出力画像に対応する調整量ＧＭを用いることによって、記憶色に近い所定の色範囲の色を適切に目標色に近づけることができる。
【００７６】
記憶色パラメータＭＣＰには、このような、記憶色範囲を設定するためのパラメータ値（図１０の例では色相の範囲）や、色調整の度合いを設定するためのパラメータ値（図１０の例では調整量ＧＭ）が含まれる。
【００７７】
本実施例では、デジタルフィルムプロファイルサーバ１２０は、記憶色パラメータＭＣＰの設定をユーザに許容する設定画面を表示することができる。ユーザは、図８の設定画面のダウンロードメニューボタンＤＦＢを操作することによって、このような設定画面を表示させることができる。ダウンロードメニューボタンＤＦＢが操作されると、デジタルフィルムプロファイルサーバ１２０から出力システム２００へ設定画面データが送信され、モニタ５００に設定画面が表示される。
【００７８】
図１１は、このような設定画面の一例を示す説明図である。ユーザは、図１１の画面の記憶色設定部ＭＣＳＣを操作することによって、記憶色パラメータＭＣＰの設定を行うことができる（Ｓ３２０）。
【００７９】
図１１に示す設定画面の記憶色設定部ＭＣＳＣは、標準設定部ＳＴＤＣと、簡易設定部ＳＰＬＣと、詳細設定部ＰＲＣＣとを有している。ユーザはこれら３つの設定部のうちのいずれかを操作することによって、記憶色パラメータＭＣＰの設定を行うことができる。
【００８０】
標準設定部ＳＴＤＣは、記憶色パラメータＭＣＰを標準的な値に設定するための操作部である。ユーザは、標準設定部ＳＴＤＣを操作することによって、記憶色パラメータＭＣＰを標準的な値に設定することができる。標準的な値は予め設定されている値であり、例えば、記憶色調整処理を行って出力した画像の感応評価に基づいて設定することができる。このように、ユーザは、標準設定部ＳＴＤＣを操作することによって、手軽に記憶色パラメータＭＣＰの設定を行うことができる。
【００８１】
簡易設定部ＳＰＬＣは、予め準備された複数の記憶色パラメータＭＣＰの中から１つを選択するための設定部である。ユーザは、簡易設定部ＳＰＬＣを操作することによって、複数の記憶色パラメータＭＣＰの中から好みのものを選択することができる。簡易設定部ＳＰＬＣには、記憶色領域の色の見えが互いに異なる画像のサンプルが複数表示されている。例えば、肌色の欄には、肌色領域の色の見えの赤味の強いものと、中程度のものと、弱いものとが表示されている。また、空色の欄には、空色領域の色の見えの緑味の強いものと、中程度のものと、弱いものとが表示されている。ユーザはこれらのサンプル画像の中から好みの画像を選択することによって、記憶色調整の設定が好ましい記憶色パラメータＭＣＰを容易に選択することができる。図１１の簡易設定部ＳＰＬＣでは、選択されたサンプル画像が枠Ｆで囲まれて表示されている。なお、記憶色調整の設定は複数の記憶色について独立に行うことができる。図１１の例では、肌色に関しては「赤中程度」が選択され、空色に関しては、「緑強い」が選択されている。このように複数の記憶色調整の設定が選択された場合には、１つの記憶色パラメータＭＣＰに複数の記憶色調整の設定が含まれることになる。
【００８２】
詳細設定部ＰＲＣＣは、任意の記憶色パラメータＭＣＰを設定するための設定部である。ユーザは、詳細設定部ＰＲＣＣを操作することによって、記憶色パラメータＭＣＰを任意な値に設定することができる。図１１の例では、記憶色範囲を決定するための色相範囲調整バーと、色調整の度合い（調整量）を調整する調整バーが表示されている。ユーザはこれらの調整バーを調整することによって記憶色パラメータＭＣＰを調整することができる。また、詳細設定部ＰＲＣＣには、調整前のサンプル画像ＩＭＢＦと調整後のサンプル画像ＩＭＡＦが表示されている。ユーザは、これらの画像を比較しながら容易にパラメータ値の調整を行うことができる。
【００８３】
以上の操作によって記憶色パラメータＭＣＰの設定（Ｓ３２０）が終了した後に、図１１に示す設定画面のダウンロード開始ボタンＤＰＦＤＬＣを操作すると、設定情報がデジタルフィルムプロファイルサーバ１２０へ送信される。デジタルフィルムプロファイルサーバ１２０では、受信した設定情報に応じた記憶色パラメータＭＣＰが、デジタルフィルムプロファイル作成部１２２（図１）によって準備される（Ｓ３１８）。この記憶色パラメータＭＣＰは、記憶色範囲の条件を満たす色を対象とした記憶色調整処理を行う際に利用される。従って、本実施例において、記憶色調整処理は本発明における色修正に相当し、記憶色パラメータＭＣＰは、本発明における記憶色情報に相当する。また、この記憶色調整処理は、画質補正部３２６（図２）によって実行される。従って、本実施例において、画質補正部３２６は、本発明における色修正部に相当する。また、このとき、デジタルフィルムプロファイル作成部１２２は、クライアント装置（本実施例では出力システム２００）から受信した記憶色情報の設定に応じて記憶色情報を作成すると考えることができる。
【００８４】
なお、記憶色の好みが同じであっても、記憶色調整処理の対象となる画像データを表す色空間の種類が異なれば、記憶色パラメータＭＣＰの値も異なったものとなる可能性がある。そこで、本実施例では、記憶色調整処理を実行するための色空間を予め設定しておき（以下、画質補正処理のための色空間ｅＲＧＢと呼ぶ）、この色空間ｅＲＧＢに基づいて記憶色パラメータＭＣＰの設定を行う。また、後述するように、記憶色調整処理は、ｅＲＧＢ色空間で表現された画像データを用いて実行される。こうすることによって、記憶色調整処理による色の再現性を向上させることができる。
【００８５】
次に、準備された記憶色パラメータＭＣＰは、ステップＳ３１６で算出されたマトリックスＭとともに、デジタルフィルムプロファイルＤＰＦとして、デジタルフィルムプロファイルサーバ１２０の送受信部１２６（図２）からネットワークＮＥＴを介して出力システム２００へ送信される（Ｓ３２２）。すなわち、本実施例においては、デジタルフィルムプロファイルＤＰＦは、本発明における、色再現情報に相当する。
【００８６】
出力システム２００では、受信したデジタルフィルムプロファイルＤＰＦを、デジタルフィルムプロファイル記憶部３０２に格納する（Ｓ３２４）。本実施例では、１つのデジタルフィルムプロファイルＤＰＦが１つのファイルとして記憶される。ユーザは、図１１の画面のファイル名設定部ＤＰＦＣを操作することによって、デジタルフィルムプロファイルＤＰＦのためのファイル名を設定することができる。従って、色較正情報（この例では、マトリックスＭ）と記憶色パラメータＭＣＰとは、共通のファイルに格納されることによって関連付けられる。この代わりに、色較正情報と記憶色パラメータＭＣＰとを関連付ける関連付けデータを生成して記憶する構成としても良い。この場合には、色較正情報と記憶色パラメータＭＣＰとの記憶方法としては、例えば、複数の色較正情報と複数の記憶色パラメータＭＣＰとを１つのファイルに格納して記憶してもよく、また、色較正情報と記憶色パラメータＭＣＰとをそれぞれ独立のファイルに格納して記憶しても良い。いずれの場合も、色較正情報と記憶色パラメータＭＣＰとが互いに関連付けられて記憶されることが好ましい。こうすることによって、デジタルフィルムプロファイルＤＰＦを選択することによって、記憶色パラメータＭＣＰと色較正情報との適切な組み合わせを容易に選択することができる。
【００８７】
ところで、画像生成装置が生成する入力画像データＧＤ１のＤＳＣの色空間ｉＲＧＢは、画像生成装置によって異なることが一般的である。従って、画像生成装置の型式に応じてデジタルフィルムプロファイルＤＰＦを使い分けることが好ましい。そこで、本実施例のデジタルフィルムプロファイル記憶部３０２は、複数種類のデジタルフィルムプロファイルＤＰＦを記憶することが可能である。また、これらの複数のデジタルフィルムプロファイルＤＰＦの識別を容易に行うために、本実施例のデジタルフィルムプロファイル記憶部３０２は、デジタルフィルムプロファイルＤＰＦと、デジタルフィルムプロファイルＤＰＦに関連付けられる識別名とを記憶することができるように構成されている。この識別名は、画像を出力する際に、利用するデジタルフィルムプロファイルＤＰＦを識別する情報として用いることができる（詳細は後述）。
【００８８】
ユーザは、図１１に示す設定画面の識別名設定部ＩＤＣを操作することによって、デジタルフィルムプロファイルＤＰＦに関連付ける識別名を設定することができる。識別名としては、例えば、画像生成装置の型式名を設定することができる。テストチャートの画像データ生成（Ｓ３１２、図７）に用いた画像生成装置の型式名を識別名設定部ＩＤＣに設定した後に、ダウンロード開始ボタンＤＰＦＤＬＣを操作すると、デジタルフィルムプロファイルＤＰＦが、設定された識別名に関連づけられて記憶される。識別名としては、ユーザがわかりやすい任意の名前を設定することができる。また、画像ファイルに含まれる型式名を設定しても良い。画像生成装置の中には、入力画像データＧＤ１と画像生成装置の型式名とを含む画像ファイルを生成するものがある。このように、画像生成装置が画像データと型式名を含む画像ファイルを生成する場合には、ステップＳ３１６（図７）で受信した画像ファイルに含まれている型式名が、図１１の設定画面の識別名設定部ＩＤＣに自動的に設定される。このようなファイル形式としては、例えば、Ｅｘｉｆファイル形式がある。Ｅｘｉｆファイル形式においては、画像データや型式名等の情報を格納する領域を特定するために、タグが用いられている。Ｅｘｉｆファイル形式の仕様は、日本電子情報技術産業協会（ＪＥＩＴＡ）によって定められている。
【００８９】
なお、本実施例では、１つのデジタルフィルムプロファイルＤＰＦが１つのファイルとして記憶される。従って、識別名とデジタルフィルムプロファイルＤＰＦとを同一のファイルに格納して記憶することによって、識別名とデジタルフィルムプロファイルＤＰＦとを関連付けることができる。この代わりに、デジタルフィルムプロファイルＤＰＦと識別名とを関連づける関連付けデータを生成して記憶する構成としても良い。いずれの場合も、画像の出力に用いるデジタルフィルムプロファイルＤＰＦの選択を行う際に、識別名を用いて容易にプロファイルの選択を行うことができるように構成することが好ましい。なお、識別名とデジタルフィルムプロファイルＤＰＦとを同一のファイルに格納する場合には、図７のステップＳ３２２で、デジタルフィルムプロファイルサーバ１２０が、デジタルフィルムプロファイルＤＰＦと識別名とを含むファイルを作成して送信する構成とすることができる。
【００９０】
また、記憶色範囲に対応する好ましい色（目標色）は、画像データ生成時に用いた光源や被写体などの環境条件に応じて変化する場合がある。従って、同じ画像生成装置を用いる場合でも、このような環境条件に応じてデジタルフィルムプロファイルＤＰＦを使い分けることが好ましい。このように、同じ画像生成装置に対応する複数種類のデジタルフィルムプロファイルＤＰＦを記憶する場合には、識別名として、型式名と環境条件とを組み合わせた名前を設定すれば、デジタルフィルムプロファイルＤＰＦの識別を容易に行うことができる。このような識別名としては、例えば、型式名が「ＮｉｃｅＤＳＣ」であり、光源として昼光を用いた人物画像に適したデジタルフィルムプロファイルＤＰＦに対して「ＮｉｃｅＤＳＣ（昼光色人物）」という名前を設定することができる。
【００９１】
また、この場合には、デジタルフィルムプロファイル記憶部３０２（図２）は、色較正情報が同じで記憶色パラメータＭＣＰが異なる複数のデジタルフィルムプロファイルＤＰＦを記憶することになる。ここで、色較正情報を各デジタルフィルムプロファイルＤＰＦに共通の情報として１つだけ記憶する構成とすることができる。このとき、複数のデジタルフィルムプロファイルＤＰＦのための複数の記憶色パラメータＭＣＰと、１つの色較正情報とを、それぞれ関連付ける関連付けデータが作成される。このような関連付けデータを用いることによって、複数のデジタルフィルムプロファイルＤＰＦの中から１つを適切に選択して用いることができる。こうすることによって、デジタルフィルムプロファイル記憶部３０２がデジタルフィルムプロファイルＤＰＦを記憶するために必要となる容量を節約することができる。
【００９２】
以上のように、本実施例では、デジタルフィルムプロファイルサーバ１２０は、画像生成装置としてのＤＳＣ６００を用いて生成した画像データを基にデジタルフィルムプロファイルＤＰＦを準備し、出力システム２００へ送信することが可能である。従って、ユーザは、画像生成装置の色空間の特徴をより適切に反映した色較正情報を手軽に準備することができる。また、このようにして準備されたデジタルフィルムプロファイルＤＰＦを考慮して画質調整処理を行うことによって、画像データ（画像生成装置）の色空間によらず、記憶色範囲の条件を満たす色を適切に調整することができる。また、このように、画像出力部としてのプリンタ４００から出力したテストチャートに基づいてデジタルフィルムプロファイルＤＰＦを設定すれば、プリンタ４００を用いずに予め準備されたメディアプロファイルＭＰＦ、例えば、標準のメディアプロファイルＭＰＦを用いる場合でも、プリンタ４００から出力する画像の色の再現性を向上させることができる。
【００９３】
また、図２に示すように、本実施例では、ＤＳＣの色空間ｉＲＧＢからプリンタに適した色空間ｗＲＧＢへの色空間変換処理は、装置非依存色空間を介して行われており、色較正情報はプリンタに適した色空間ｗＲＧＢに依存しない情報、すなわち、画像出力部に依存しない情報である。従って、色較正情報と記憶色パラメータＭＣＰとを含むデジタルフィルムプロファイルＤＰＦは、型式や種類の異なる複数の画像出力部を備える出力システムにおいて共通に用いることができる。また、異なる出力システムに対しても共通に用いることができる。
【００９４】
なお、デジタルフィルムプロファイルサーバ１２０は、準備したデジタルフィルムプロファイルＤＰＦをデジタルフィルムプロファイル格納部１２８（図１）に格納することができる。また、画像生成装置の型式が同じであれば、ＤＳＣの色空間ｉＲＧＢはほぼ同じとなる。従って、同じ型式の画像生成装置を使用する他のユーザに、格納されたデジタルフィルムプロファイルＤＰＦをダウンロードして用いることを許容してもよい。こうすることによって、そのユーザは、自分のＤＳＣ固有のデジタルフィルムプロファイルＤＰＦを作成しなくても、記憶色範囲の条件を満たす色を適切に調整するデジタルフィルムプロファイルＤＰＦを手軽に準備することができる。ただし、図７のフローチャートに従い、実際に用いる画像生成装置と画像出力部とを用いてデジタルフィルムプロファイルＤＰＦを作成すれば、画像生成装置や画像出力部の色空間に個体差がある場合でも、画像生成装置と画像出力部とにより適したデジタルフィルムプロファイルＤＰＦを準備することができる。
【００９５】
Ｂ３．画像出力処理：
図１２は、メディアプロファイルＭＰＦとデジタルフィルムプロファイルＤＰＦとを利用して出力システム２００で実行される画像出力処理（図３、Ｓ１２０）を示すフローチャートである。画像出力処理では、まず、画質調整アプリケーション３２０（図２）による、入力画像データＧＤ１の読み込みが実行される（Ｓ５００）。入力画像データＧＤ１は画像生成装置で生成された画像データである。入力画像データＧＤ１は、画像ファイルに格納されていることが一般的である。そこで、画質調整アプリケーション３２０は画像ファイルを解析して入力画像データＧＤ１を読み込む。
【００９６】
次に、第１と第２の選択部３３０、３３２（図２）によってデジタルフィルムプロファイルＤＰＦとメディアプロファイルＭＰＦが選択される（Ｓ５０２）。
【００９７】
ユーザは、画質調整アプリケーション３２０の設定画面を通じて、Ｓ５０２で選択されるプロファイルの確認と設定を行うことができる。図１３は、設定画面の一例を示している。図示されているように、画面中には、メディアプロファイル設定部ＭＰＦＳＤと、デジタルフィルムプロファイル設定部ＤＰＦＳＤとを有している。
【００９８】
メディアプロファイル設定部ＭＰＦＳＤには、利用可能なメディアプロファイルＭＰＦに関連付けられた出力条件の一覧表ＯＣＤが表示され、選択された出力条件が２重線で囲まれている。メディアプロファイル名設定部ＭＰＦＤには、出力条件一覧表ＯＣＤで選択された出力条件に関連付けられたメディアプロファイルＭＰＦのファイル名が自動的に設定される。後述するステップＳ５０８（図１２）では、メディアプロファイル名設定部ＭＰＦＤに設定されたファイル（メディアプロファイルＭＰＦ）が用いられる。選択されている出力条件が実際に利用する印刷媒体とインクの種類の組み合わせと異なっている場合には、ユーザは、好ましい出力条件を選択し直すことができる。
【００９９】
デジタルフィルムプロファイル設定部ＤＰＦＳＤには、利用可能なデジタルフィルムプロファイルＤＰＦに関連付けられた識別名の一覧表ＩＤＤが表示され、選択された識別名が２重線で囲まれている。デジタルフィルムプロファイル名設定部ＤＰＦＤには、識別名一覧表ＩＤＤで選択された識別名に関連付けられたデジタルフィルムプロファイルＤＰＦのファイル名が自動的に設定される。後述するステップＳ５０４、Ｓ５０６では、デジタルフィルムプロファイル名設定部ＤＰＦＤに設定されたファイル（デジタルフィルムプロファイルＤＰＦ）が用いられる。ユーザは、これらの識別名の中から、所望の識別名を選択することによって、画像出力処理に用いるデジタルフィルムプロファイルＤＰＦの設定を行うことができる。
【０１００】
なお、画像ファイルが画像生成装置の型式名を含んでいる場合には、同じ型式名を含む識別名に関連付けられたデジタルフィルムプロファイルＤＰＦが自動的に選択される。従って、ユーザが設定することなく、適切なデジタルフィルムプロファイルが選択される。また、このような型式名に応じた選択処理は、入力画像データＧＤ１の内容や、入力画像データ生成時の画像生成装置の動作設定条件（例えば、フラッシュ発光の有無や、絞り値、シャッタースピード等の設定条件。）に依らずに実行される。従って、選択処理を、入力画像データＧＤ１や動作設定条件を解析することなく、高速に実行することができる。なお、動作設定条件は、型式名と同様に、画像生成装置が入力画像データＧＤ１を含む画像ファイルを生成する際に画像ファイルに格納した情報から得ることができる。
【０１０１】
また、同じ型式名を含む識別名が複数存在する場合には、ユーザの好みのプロファイルを選択することができる。画面中の画像表示部ＩＭＤには、選択されたデジタルフィルムプロファイルＤＰＦに基づいて画質調整処理を行った結果の画像が表示されている。ユーザはこの画像表示部ＩＭＤに表示される画像を確認することによって、デジタルフィルムプロファイルＤＰＦの選択を容易に行うことができる。さらに、画像ファイルがデジタルフィルムプロファイルＤＰＦを含むプロファイル付き画像ファイルである場合には、プロファイル指定部ＧＦＰＤを操作することによって、画像ファイルに含まれるプロファイルを用いるように設定することもできる。
【０１０２】
プロファイルの確認、設定の後、印刷開始ボタンＧＯを操作することによって、ステップＳ５０２が終了し、ステップ５０４以下の処理が実行される。
【０１０３】
次のステップＳ５０４では、入力色空間変換部３２２（図２）によって、画像データを定義する色空間を、ＤＳＣの色空間ｉＲＧＢから画質補正処理のための色空間ｅＲＧＢへ変換する入力色空間変換処理が実行される。ＤＳＣの色空間ｉＲＧＢは入力画像データＧＤ１を定義する色空間である。画質補正処理のための色空間ｅＲＧＢは、他の色空間との対応関係が予め設定された色空間であり、本実施例では、Ｌ＊ａ＊ｂ＊色空間とのｅＲＧＢ−Ｌ＊ａ＊ｂ＊対応関係が予め設定されている。ｉＲＧＢ色空間からｅＲＧＢ色空間への入力色空間変換処理は、ｅＲＧＢ−Ｌ＊ａ＊ｂ＊対応関係と、デジタルフィルムプロファイルＤＰＦに含まれる色較正情報（マトリックスＭ）とを用いることによって実行される。
【０１０４】
ステップＳ５０６では、画質補正部３２６（図２）によって、記憶色調整処理が実行される。記憶色調整処理は上述の図１０に示す処理である。このステップＳ５０４の記憶色調整処理は、ステップＳ５０２で選択されたデジタルフィルムプロファイルＤＰＦに含まれる記憶色パラメータＭＣＰに従って実行される。
【０１０５】
次のステップＳ５０８では、出力色空間変換部３２４（図２）によって、画像データを定義する色空間を、画質補正処理のための色空間ｅＲＧＢからプリンタに適した色空間ｗＲＧＢへ変換する出力色空間変換処理が実行される。この出力色空間変換処理は、ｅＲＧＢ−Ｌ＊ａ＊ｂ＊対応関係と、メディアプロファイルＭＦＰ（ルックアップテーブルＮ）とを用いることによって実行される。
【０１０６】
次のステップＳ５１０では、プリンタに適したｗＲＧＢ色空間で表現された出力画像データＧＤ２に基づいた画像が、プリンタ４００から出力される。
【０１０７】
図１４は、図１２に示す画像の出力処理を、色空間を中心に説明する説明図である。本実施例では、入力画像データＧＤ１はＤＳＣの色空間ｉＲＧＢで表現されている。ステップＳ５０４では、デジタルフィルムプロファイルＤＰＦとｅＲＧＢ−Ｌ＊ａ＊ｂ＊対応関係とを用いた入力色空間変換処理が実行される。この処理によって、画像データを表す色空間が、ｉＲＧＢ色空間からｅＲＧＢ色空間へ変換される。
【０１０８】
次に、ステップＳ５０６では、デジタルフィルムプロファイルＤＰＦに基づく記憶色調整処理が実行される。
【０１０９】
次に、ステップＳ５０８では、メディアプロファイルＭＰＦとｅＲＧＢ−Ｌ＊ａ＊ｂ＊対応関係とを用いた出力色空間変換処理が実行される。この処理によって、画像データを表す色空間が、ｅＲＧＢ色空間からプリンタに適した色空間ｗＲＧＢへ変換される。
【０１１０】
次のステップＳ５１０では、色空間が変換された画像データに基づいて画像がプリンタ４００から出力される。この処理は、図６のＳ２０６と同様の処理である。
【０１１１】
なお、デジタルフィルムプロファイルＤＰＦやメディアプロファイルＭＰＦを用いた画質調整処理を実行することができないアプリケーションから画像を出力するときには、プリンタドライバが図１４の全て処理（Ｓ５０４〜Ｓ５１０）を実行するように構成することが好ましい。このとき、デジタルフィルムプロファイルＤＰＦとメディアプロファイルＭＰＦとは、画質調整アプリケーション３２０が用いるものと同じものが用いられることが好ましい。このように、複数の画像処理プログラムが、デジタルフィルムプロファイルＤＰＦやメディアプロファイルＭＰＦを用いた画質調整処理を実行可能なときには、それぞれ、同じ記憶部（デジタルフィルムプロファイル記憶部３０２やメディアプロファイル記憶部３０４）に記憶された同一のプロファイル（デジタルフィルムプロファイルＤＰＦやメディアプロファイルＭＰＦ）を利用することが好ましい。こうすれば、いずれのプログラム（例えば、画質調整アプリケーション３２０やプリンタドライバ）を用いても、適切に画質を調整した画像を出力することができる。
【０１１２】
このように、本実施例では、色較正情報と記憶色パラメータＭＣＰとを含むデジタルフィルムプロファイルＤＰＦと、プリンタに適した色空間ｗＲＧＢに関する情報を含むメディアプロファイルＭＰＦとを用いることによって、画像出力部から出力される画像の色再現性を向上させるとともに、記憶色範囲の条件を満たす色の調整を実行している。従って、記憶色パラメータＭＣＰの設定を同じとすれば、ＤＳＣの色空間ｉＲＧＢが異なる画像生成装置で生成された画像データを用いる場合や、プリンタに適した色空間ｗＲＧＢが異なる画像出力部を用いる場合にも、ほぼ同じ発色特性を有する画像を得ることができる。また、本実施例では、デジタルフィルムプロファイルＤＰＦは、色較正情報と記憶色パラメータＭＣＰとが関連付けられたものである。従って、デジタルフィルムプロファイルＤＰＦを選択することによって、記憶色パラメータＭＣＰと色較正情報との適切な組み合わせを容易に選択することができる。
【０１１３】
Ｃ．プロファイル付き画像ファイル生成処理の第１実施例：
図１５は、プロファイル付き画像ファイル生成処理の一例を示すフローチャートである。この処理は、画像生成装置によって生成された入力画像データＧＤ１と、デジタルフィルムプロファイルＤＰＦとを含むプロファイル付き画像ファイルを生成する処理である。デジタルフィルムプロファイルＤＰＦは、前述したように、色較正情報と記憶色パラメータＭＣＰとを含んでおり、色再現情報に相当する。従って、本実施例においては、プロファイル付き画像ファイルは、本発明における色再現情報付き画像ファイルに相当する。
【０１１４】
まず、ステップ６００で、デジタルフィルムプロファイルＤＰＦの準備処理が実行される。この準備処理は、図３のフローチャートのステップＳ１１０と同じ処理である。デジタルフィルムプロファイル記憶部３０２（図２）が、所望のデジタルフィルムプロファイルＤＰＦを記憶していない場合には、デジタルフィルムプロファイルサーバ１２０からダウンロードしても良い。また、デジタルフィルムプロファイルサーバ１２０が所望のデジタルフィルムプロファイルＤＰＦを格納していない場合には、デジタルフィルムプロファイルＤＰＦを作成しても良い。デジタルフィルムの作成処理としては、例えば、図７に示す方法を用いることができる。このようにして準備されたデジタルフィルムプロファイルＤＰＦは、色較正情報と記憶色パラメータＭＣＰとを含んでいる。
【０１１５】
次に、ステップＳ６０２では、プロファイル付き画像ファイル生成アプリケーション３４０（図２）による入力画像データＧＤ１の読み込みが実行される。ユーザは、プロファイル付き画像ファイル生成アプリケーション３４０の設定画面を通じて、ステップＳ６０２で用いられる入力画像データＧＤ１の設定を行うことができる。図１６は、設定画面の一例を示している。図示されているように、画面中には、画像ファイル設定部ＧＦＥと、デジタルフィルムプロファイル設定部ＤＰＦＳＥとを有している。
【０１１６】
画像ファイル設定部ＧＦＥは、入力ファイル設定部ＩＧＦＥと出力ファイル設定部ＯＧＦＥとを有している。ユーザは、入力ファイル設定部ＩＧＦＥを操作することによって、所望の入力画像データＧＤ１を格納した画像ファイルを指定することができる。また、出力ファイル設定部ＯＧＦＥを操作することによって、新たに生成する画像ファイルのファイル名を指定することができる。
【０１１７】
次に、選択部３４４（図２）によるデジタルフィルムプロファイルＤＰＦの選択処理が実行される（Ｓ６０４）。ユーザは、設定画面（図１６）のデジタルフィルムプロファイル設定部ＤＰＦＳＥを通じて、ステップＳ６０４で選択されるデジタルフィルムプロファイルＤＰＦの確認と設定を行うことができる。
【０１１８】
デジタルフィルムプロファイル設定部ＤＰＦＳＥには、利用可能なデジタルフィルムプロファイルＤＰＦに関連付けられた識別名の一覧表ＩＤＥが表示され、選択された識別名が２重線で囲まれている。ユーザは、これらの識別名の中から、所望の識別名を選択することによって、プロファイル付き画像ファイル生成処理に用いるデジタルフィルムプロファイルＤＰＦの設定を行うことができる。デジタルフィルムプロファイル名設定部ＤＰＦＥには、識別名一覧表ＩＤＥで選択された識別名に関連付けられたデジタルフィルムプロファイルＤＰＦのファイル名が自動的に設定される。後述するステップＳ６０６（図１５）では、デジタルフィルムプロファイル名設定部ＤＰＦＥに設定されたファイル（デジタルフィルムプロファイルＤＰＦ）が用いられる。
【０１１９】
なお、画像データＧＤ１を格納する画像ファイルが画像生成装置の型式名を含んでいる場合には、同じ型式名を含む識別名に関連付けられたデジタルフィルムプロファイルＤＰＦが自動的に選択される。従って、ユーザが設定することなく、適切なデジタルフィルムプロファイルが選択される。また、このような型式名に応じた選択処理は、入力画像データＧＤ１の内容や、入力画像データ生成時の画像生成装置の動作設定条件に依らずに実行される。従って、選択処理を高速に実行することができる。
【０１２０】
また、同じ型式名を含む識別名が複数存在する場合には、ユーザの好みのプロファイルを選択することができる。画面中の画像表示部ＩＭＥには、選択されたデジタルフィルムプロファイルＤＰＦに基づいて画質調整処理を行った結果の画像が表示されている。ユーザはこの画像表示部ＩＭＥに表示される画像を確認することによって、デジタルフィルムプロファイルＤＰＦの選択を容易に行うことができる。
【０１２１】
デジタルフィルムプロファイルＤＰＦの確認、設定の後、ファイル生成ボタンＧＯＥを操作することによって、入力画像データＧＤ１とデジタルフィルムプロファイルＤＰＦを含んだプロファイル付き画像ファイルが生成される（Ｓ６０６）。新しい画像ファイルは、出力ファイル設定部ＯＧＦＥで指定されたファイル名に従って生成される。
【０１２２】
このように、本実施例では、画像生成装置が生成する入力画像データＧＤ１とデジタルフィルムプロファイルＤＰＦとを含むプロファイル付き画像ファイルの生成処理が実行される。このようなプロファイル付き画像ファイルを用いることによって、画像の出力に適したデジタルフィルムプロファイルＤＰＦを記憶していない出力システムから画像を出力する場合でも、プロファイル付き画像ファイルに含まれるデジタルフィルムプロファイルを用いて画質を適切に調整した画像を得ることができる。また、本実施例では、デジタルフィルムプロファイルＤＰＦに含まれる色較正情報は、マトリックスＭで構成されている。従って、色較正情報をルックアップテーブルを用いて構成する場合と比較して、デジタルフィルムプロファイルＤＰＦの大きさを小さいものとすることができるので、デジタルフィルムプロファイル付き画像ファイルの大きさを小さいものとすることができる。その結果、デジタルフィルムプロファイル付き画像ファイルを、ＣＤ−ＲＯＭやメモリカード等のコンピュータ読み取り可能な記録媒体に記録する場合の記録媒体の容量を節約することができる。また、デジタルフィルムプロファイル付き画像ファイルをネットワークやケーブルを介して送受信する処理を、高速に実行することができる。
【０１２３】
Ｄ．画質調整アプリケーションの第２実施例：
図１７は、本実施例の画質調整アプリケーション３２０ａの構成を示すブロック図である。図２に示す画質調整アプリケーション３２０との差異は、画質調整アプリケーション３２０ａが記憶色パラメータ調整部３３４ａを備えている点である。他の機能部（３２２ａ、３２４ａ、３２５ａ、３２６ａ、３２８ａ、３３０ａ、３３２ａ）の機能は、図２に示す機能部（３２２、３２４、３２６、３２８、３３０、３３２）とそれぞれ同じである。
【０１２４】
記憶色パラメータ調整部３３４ａは、第１選択部３３０ａによって選択されたデジタルフィルムプロファイルＤＰＦに含まれる記憶色パラメータＭＣＰ（図示せず）を調整する処理を実行する。画質補正部３２６ａは、記憶色パラメータ調整部３３４ａによって記憶色パラメータＭＣＰが調整されたデジタルフィルムプロファイルＤＰＦに従って記憶色調整処理を実行する。
【０１２５】
本実施例では、ユーザは、画質調整アプリケーション３２０ａの設定画面を通じて、記憶色パラメータ調整部３３４ａが実行する調整処理の設定を行うことができる。このような設定画面としては、図１１に示す記憶色設定部ＭＣＳＣと同様の設定画面を用いることができる。ユーザは、このような設定画面を操作することによって、記憶色パラメータＭＣＰを好みに応じて調整することができる。
【０１２６】
このように、本実施例では、ユーザが、画質補正部３２６ａが実際の記憶色調整処理に用いる記憶色パラメータＭＣＰの調整を行うことができる。従って、ユーザの好みの記憶色パラメータＭＣＰを含むデジタルフィルムプロファイルＤＰＦを利用可能でない場合でも、記憶色パラメータＭＣＰの調整を行うことによって、画質を適切に調整することができる。
【０１２７】
以上説明したように、上述の各実施例においては、色較正情報と記憶色パラメータとを含むデジタルフィルムプロファイルを利用して画像の出力を実行する。従って、画像生成装置の違いによらず、好みの発色特性を有する画像を出力することができる。特に、記憶色パラメータＭＣＰの設定が同じデジタルフィルムプロファイルＤＰＦを用いることによって、型式の異なる画像生成装置を用いる場合でも、ほぼ同じ発色特性を有する画像を得ることができる。また、プリンタに適した色空間ｗＲＧＢに関する情報を含むメディアプロファイルＭＰＦを利用して画像の出力を実行することによって、画像出力部の違いによらず、記憶色範囲の条件を満たす色が目標色に近い好ましい色で再現された画像を出力することができる。また、デジタルフィルムプロファイルＤＰＦと画像データとを含むプロファイル付き画像ファイルを生成して用いることによって、画像の出力に適したデジタルフィルムプロファイルＤＰＦを記憶していない出力システムから画像を出力する場合でも、画質を適切に調整した画像を得ることができる。さらに、ユーザは、デジタルフィルムプロファイルサーバ１２０を利用することによって、手軽に画像生成装置に適したデジタルフィルムプロファイルＤＰＦの準備を行うことができる。
【０１２８】
Ｅ．変形例：
なお、この発明は上記の実施例や実施形態に限られるものではなく、その要旨を逸脱しない範囲において種々の態様において実施することが可能であり、例えば次のような変形も可能である。
【０１２９】
Ｅ１．変形例１：
上述の各実施例における記憶色調整処理は、トーンカーブを用いた処理に限らず、記憶色に近い範囲の色を目標色に近い色に調整する処理であれば良い。例えば、入力値と出力値との組み合わせを複数含むルックアップテーブルを用いて色を調整する構成としても良い。この場合には、ルックアップテーブルが記憶色パラメータＭＣＰとして用いられる。
【０１３０】
Ｅ２．変形例２：
色空間変換処理を実行するための入力値と出力値との対応関係を表す方法としては、マトリックスやルックアップテーブルを用いた方法に限らず、適切に色空間変換処理を実行できるような方法であればよい。
【０１３１】
Ｅ３．変形例３：
各実施例では、デジタルフィルムプロファイルＤＰＦが含む色較正情報は、ＤＳＣの色空間ｉＲＧＢと装置非依存色空間との対応関係に関する情報であったが、一般に、色較正情報は、画像データの色較正に利用される情報であればよい。色較正を、色空間変換処理によって実現する場合には、この色較正情報は、一般に、第１の色空間と第２の色空間との対応関係に関する情報とすることができる。例えば、第１の色空間としてＤＳＣの色空間ｉＲＧＢを用い、第２の色空間としてプリンタに適した色空間ｗＲＧＢを用いてもよい。このとき、入力色空間変換部３２２（図２）は、画像データを定義する色空間を、ＤＳＣの色空間ｉＲＧＢからプリンタに適した色空間ｗＲＧＢへ変換する色空間変換処理を実行する。また、メディアプロファイル記憶部３０４、第２選択部３３２、出力色空間変換部３２４（図２）や、メディアプロファイル準備処理Ｓ１００（図３）は、省略することができる。このような構成を用いる場合にも、画像出力部から出力したテストチャートに基づいて色較正情報を設定すれば、画像生成装置や画像出力部の違いによらず、出力する画像の色再現性を向上させるとともに、記憶色範囲の条件を満たす色が目標色に近い好ましい色で再現された画像を得ることができる。
【０１３２】
また、上述の各実施例では、色空間変換処理を行うことによって色較正を実行する構成であるが、この代わりに、色空間変換処理と色較正とを別々に実行する構成とすることもできる。このとき、色再現情報は、色空間変換プロファイルとは別に、色較正のためのパラメータ値を含むように構成される。
【０１３３】
Ｅ４．変形例４：
上述の各実施例における、種々のサーバ（メディアプロファイルサーバ１１０、デジタルフィルムプロファイルサーバ１２０）と情報をやり取りするための設定画面（図５、図８、図１１）は、画質調整アプリケーション３２０の設定画面として表示する構成に限らず、ユーザに設定の確認と変更を許容する画面であれば良い。例えば、コンピュータ３００上でブラウザを動作させ、メディアプロファイルサーバ１１０やデジタルフィルムプロファイルサーバ１２０が提供する設定画面用のウェブページをブラウザによって表示する構成としても良い。
【０１３４】
Ｅ５．変形例５：
上記各実施例においては、コンピュータ３００の画質調整アプリケーション３２０がプロファイルＭＰＦ、ＤＰＦを用いた処理を行っていたが、この代わりに、プリンタ４００の制御回路（図示せず）が、画質調整アプリケーション３２０の機能を実現するようにしてもよい。このとき、例えば、プリンタ４００と画像生成装置としてのＤＳＣ６００とをケーブルＣＢで接続し、プリンタ４００がケーブルＣＢを介して入力画像データＧＤ１を受信する構成を用いることができる。また、ＤＳＣ６００が生成した入力画像データＧＤ１をメモリーカード（図示せず）に格納し、入力画像データＧＤ１が記録されたメモリーカードを、プリンタ４００に装着することによって、プリンタ４００が入力画像データＧＤ１を読み込む構成を用いてもよい。また、ＤＳＣ６００とプリンタ４００とをネットワークＮＥＴに接続し、プリンタ４００がネットワークＮＥＴを経由して入力画像データＧＤ１を受信する構成とすることもできる。
【０１３５】
Ｅ６．変形例６：
上記プロファイル付き画像ファイル生成アプリケーションの実施例では、入力画像データＧＤ１とデジタルフィルムプロファイルＤＰＦとが同一の画像ファイルに含まれる場合を例にとって説明したが、入力画像データＧＤ１とデジタルフィルムプロファイルＤＰＦとは必ずしも同一のファイル内に格納される必要はない。すなわち、入力画像データＧＤ１とデジタルフィルムプロファイルＤＰＦとが関連づけられていれば良く、例えば、入力画像データＧＤ１とデジタルフィルムプロファイルＤＰＦとを関連付ける関連付けデータを生成し、入力画像データＧＤ１とデジタルフィルムプロファイルＤＰＦとをそれぞれ独立したファイルに格納し、入力画像データＧＤ１を処理する際に関連付けられたデジタルフィルムプロファイルＤＰＦを参照しても良い。かかる場合には、入力画像データＧＤ１とデジタルフィルムプロファイルＤＰＦとが別ファイルに格納されているものの、デジタルフィルムプロファイルＤＰＦを利用する画像データ処理の時点では、入力画像データＧＤ１およびデジタルフィルムプロファイルＤＰＦとが相互に関連付けられており、実質的に同一のファイルに格納されている場合と同様に機能するからである。すなわち、少なくとも画像データ処理の時点において、入力画像データＧＤ１とデジタルフィルムプロファイルＤＰＦとが関連付けられているものは、プロファイル付き画像ファイルと見なすことが可能である。
【０１３６】
Ｅ７．変形例７：
上述の各実施例では、色較正のための処理（入力色空間変換処理、出力色空間変換処理）と記憶色調整処理とを１つのアプリケーション（画質調整アプリケーション３２０）で実行していたが、この代わりに、各処理を独立したアプリケーションで実行する構成とすることもできる。例えば、図２のフロントエンドモジュール３３６と、バックエンドモジュール３３８とを、別のアプリケーションとして構成しても良い。このとき、各アプリケーションで処理された画像データは、別のアプリケーションに渡されることになるが、画像データとともに、画像データを表す色空間に関する情報も渡される構成とすることが好ましい。こうすることによって、画像データを受け取ったアプリケーションは、忠実な色再現を維持しつつ処理を実行することができる。色空間に関する情報は、色較正に利用される情報であればよく、例えば、画像データを表す色空間と別の色空間との対応関係を表す情報を用いることができる。
【０１３７】
Ｅ８．変形例８：
上述の各実施例では、色較正のための処理（入力色空間変換処理、出力色空間変換処理）に加えて記憶色調整処理を実行しているが、さらに、他の画質調整処理を実行する構成としても良い。例えば、画質補正部３２６が、記憶色調整処理に加えて、コントラストの調整処理やシャープネスの調整処理を実行する構成としてもよい。このときも、デジタルフィルムプロファイルＤＰＦが、コントラスト調整処理やシャープネス調整処理のためのパラメータを含むように構成することによって、ユーザは、手軽に画質を適切に調整した画像を出力することができる。
【０１３８】
Ｅ９．変形例９：
デジタルフィルムプロファイルサーバ１２０のデジタルフィルムプロファイル作成部１２２やデジタルフィルムプロファイル送受信部１２６、デジタルフィルムプロファイル格納部１２８の機能は、デジタルフィルムプロファイルサーバ１２０がコンピュータプログラムを実行することによって実現される。また、メディアプロファイルサーバ１１０のメディアプロファイル作成部１２２や送受信部１１６、メディアプロファイル格納部１１８の機能は、メディアプロファイルサーバ１１０がコンピュータプログラムを実行することによって実現される。このようなプログラムは、コンピュータ読み取り可能な記録媒体に記録された形態で供給される。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読み取り可能な種々の媒体を利用できる。
【図面の簡単な説明】
【図１】色管理画像出力システムの全体構成を示す説明図。
【図２】コンピュータ３００の構成を示すブロック図。
【図３】色管理画像出力処理を示すフローチャート。
【図４】メディアプロファイル準備処理を示すフローチャート。
【図５】画質調整アプリケーション３２０の設定画面の一例。
【図６】メディアプロファイル準備処理の説明図。
【図７】デジタルフィルムプロファイル準備処理を示すフローチャート。
【図８】設定画面の一例。
【図９】デジタルフィルムプロファイル準備処理の説明図。
【図１０】記憶色調整処理を説明する説明図。
【図１１】設定画面の一例を示す説明図である。
【図１２】画像出力処理を示すフローチャート。
【図１３】設定画面の一例を示す説明図。
【図１４】画像出力処理の説明図。
【図１５】プロファイル付き画像ファイル生成処理の一例を示すフローチャート。
【図１６】設定画面の一例を示す説明図。
【図１７】画質調整アプリケーション３２０ａの構成を示すブロック図。
【符号の説明】
１１０…メディアプロファイルサーバ
１１２…メディアプロファイル作成部
１１４…メディアプロファイル作成用テストチャートデータ格納部
１１６、１２６、３０６…送受信部
１２０…デジタルフィルムプロファイルサーバ
１２２…デジタルフィルムプロファイル作成部
１２４…デジタルフィルムプロファイル作成用テストチャートデータ格納部
２００…出力システム
３００…コンピュータ
３０２…デジタルフィルムプロファイル記憶部
３０４…メディアプロファイル記憶部
３２０、３２０ａ…画質調整アプリケーション
３２２、３２２ａ…入力色空間変換部
３２４、３２４ａ…出力色空間変換部
３２６、３２６ａ…画質補正部
３２８、３２８ａ…色空間変換部
３３０、３３０ａ…第１選択部
３３２、３３２ａ…第２選択部
３３４ａ…記憶色パラメータ調整部
３３６、３３６ａ…フロントエンドモジュール
３３８、３３８ａ…バックエンドモジュール
３４０…プロファイル付き画像ファイル生成アプリケーション
３４２…画像ファイル生成部
３４４…選択部
４００…プリンタ
５００…モニタ
ＮＥＴ…ネットワーク
ＣＢ…ケーブル
ＧＤ１…入力画像データ
ＧＤ２…出力画像データ
ＰＤ…印刷データ
ＤＦＢ…デジタルフィルムプロファイルダウンロードメニューボタン
ＩＭＢ…テストチャート画像送信設定部
ＯＣＡ…出力条件設定部
ＯＣＢ、ＯＣＤ…出力条件一覧表
ＤＰＦ…デジタルフィルムプロファイル
ＤＰＦＳＤ、ＤＰＦＳＥ…デジタルフィルムプロファイル設定部
ＤＰＦＣ、ＤＰＦＤ、ＤＰＦＥ…デジタルフィルムプロファイル名設定部
ＤＰＦＤＬＣ…ダウンロード開始ボタン
ＭＰＦ…メディアプロファイル
ＭＰＦＳＡ…メディアプロファイルダウンロード設定部
ＭＰＦＳＤ…メディアプロファイル設定部
ＭＰＦＡ、ＭＰＦＢ、ＭＰＦＤ…メディアプロファイル名設定部
ＭＰＦＤＬＡ…ダウンロード開始ボタン
ＴＣＤＡ、ＴＣＤＢ…ダウンロード開始ボタン
ＴＣＦＡ、ＴＣＦＢ…テストチャートデータファイル設定部
ＴＣＯＡ、ＴＣＯＢ…テストチャート出力開始ボタン
ＴＣＳＡ、ＴＣＳＢ…テストチャート設定部
ＩＭＦＢ…画像データファイル名設定部
ＩＭＵＢ…画像データ送信開始ボタン
ＭＣＰ…記憶色パラメータ
ＤＦＢ…デジタルフィルムプロファイルダウンロードメニューボタン
ＭＣＳＣ…記憶色設定部
ＳＴＤＣ…標準設定部
ＳＰＬＣ…簡易設定部
ＰＲＣＣ…詳細設定部
ＩＭＢＦ…調整前サンプル画像
ＩＭＡＦ…調整後サンプル画像
ＩＤＣ…識別名設定部
ＩＤＤ、ＩＤＥ…識別名一覧表
ＩＭＤ…画像表示部
ＧＦＰＤ…プロファイル指定部
ＧＯ…印刷開始ボタン
ＧＦＥ…画像ファイル設定部
ＩＧＦＥ…入力ファイル設定部
ＯＧＦＥ…出力ファイル設定部
ＩＭＥ…画像表示部
ＧＯＥ…ファイル生成ボタン
【図１】
2004297383.tif 000003
【図２】
2004297383.tif 000004
【図３】
2004297383.tif 000005
【図４】
2004297383.tif 000006
【図５】
2004297383.tif 000007
【図６】
2004297383.tif 000008
【図７】
2004297383.tif 000009
【図８】
2004297383.tif 000010
【図９】
2004297383.tif 000011
【図１０】
2004297383.tif 000012
【図１１】
2004297383.tif 000013
【図１２】
2004297383.tif 000014
【図１３】
2004297383.tif 000015
【図１４】
2004297383.tif 000016
【図１５】
2004297383.tif 000017
【図１６】
2004297383.tif 000018
【図１７】
2004297383.tif 000019